(57)【要約】【課題】輝度の低下と放電セルにおける誤放電を防止して、画面の高精細化を図ることが出来るプラズマディスプレイパネルを提供する。【解決手段】前面ガラス基板１０と背面ガラス基板１３との間に配置されて井桁状に形成された列方向に延びる縦壁部１５ａと行方向に延びる横壁部１５ｂによって放電空間Ｓを放電セルＣ毎に行方向と列方向に区画する隔壁１５を備え、隔壁１５の内面に蛍光体層１６が形成され、行電極対を構成する第１行電極Ｘ及び第２行電極Ｙが、行方向に延びる電極本体部Ｘｂ，Ｙｂと、放電空間内の単位発光領域毎に、電極本体部Ｘｂ，Ｙｂが対となる他の行電極の方向に張り出してギャップｇを介して互いに対向する突出電極部Ｘａ，Ｘｂとを備える。行電極対の第１行電極と第２行電極の内少なくとも一方の行電極の列方向において隣接する二つの表示ライン間において背中合わせになっている突出電極部が、互いに同一の電極本体部を共用しており、同一の電極本体部に接続された一対の突出電極部同士が直接連結されている。【選択図】図８
2006128145.tif 000002
【特許請求の範囲】
【請求項１】
前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と前記背面基板との間に配置されて、列方向に延びる縦壁部と行方向に延びる横壁部によって、前記放電空間を前記単位発光領域毎に行方向と列方向に区画する隔壁を備え、
前記放電空間の単位発光領域に面する前記隔壁の横壁部及び縦壁部並びに前記背面基板上の面に蛍光体層が形成され、
前記行電極対を構成する第１行電極及び第２行電極が、行方向に延びる金属層で構成される電極本体部と、前記放電空間内の単位発光領域毎に、前記電極本体部が対となる他の行電極の方向に張り出して所要のギャップを介して互いに対向する透明電極膜で構成される突出電極部とを備えており、
前記第１行電極と第２行電極の内少なくとも一方の行電極の列方向において隣接する二つの表示ライン間において背中合わせになっている突出電極部が、互いに同一の電極本体部を共用しており、
当該同一の電極本体部に接続された一対の前記突出電極部同士が直接連結されていることを特徴とするプラズマディスプレイパネル。
【請求項２】
前記突出電極部は、放電ギャップを介して対向する幅広部と前記電極本体部に接続される狭小の基端部を備えている請求項１に記載のプラズマディスプレイパネル。
【発明の詳細な説明】
【技術分野】
【０００１】
本発明は、プラズマディスプレイパネルに関するものである。
【背景技術】
【０００２】
近年、大型で且つ薄型のカラー画面表示装置として面放電方式交流型プラズマディスプレイパネルが注目を集めており、その普及が図られて来ている。図２２は、この面放電方式交流型プラズマディスプレイパネルの従来のセル構造を模式的に示す平面図であり、図２３は、図２２のＶ−Ｖ線における断面図、図２４は、図２２のＷ−Ｗ線における断面図である。
【０００３】
この図２２ないし２４において、プラズマディスプレイパネルの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００４】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成される。一方、希ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００５】
そして、各表示ラインＬにおいて、列電極Ｄ’と行電極対（Ｘ’，Ｙ’）が交差し、隔壁５によって放電空間Ｓ’が区画されることにより形成された単位発光領域に、放電セルＣ’がそれぞれ画定されている。
【０００６】
上記の面放電方式交流型プラズマディスプレイパネルにおける画像の表示は、以下のようにして行われる。すなわち、先ず、アドレス操作により、各放電セルＣ’において行電極対（Ｘ’，Ｙ’）と列電極Ｄ’との間で選択的に放電が行われ、点灯セル（誘電体層２に壁電荷が形成された放電セルＣ’）と消灯セル（誘電体層２に壁電荷が形成されなかった放電セルＣ’）とが、表示する画像に対応してパネル上に分布される。
【０００７】
このアドレス操作の後、全表示ラインＬにおいて一斉に、行電極対（Ｘ’，Ｙ’）に対して交互に放電維持パルスが印加され、この放電維持パルスが印加される毎に、点灯セルにおいて面放電が発生される。以上のようにして、点灯セルにおける面放電により紫外線が発生され、放電空間Ｓ’内のＲ，Ｇ，Ｂの蛍光体層６がそれぞれ励起されて発光されることにより、表示する画面が形成される。
【発明の開示】
【発明が解決しようとする課題】
【０００８】
上記のような面放電方式交流型プラズマディスプレイパネルにおいては、図２４に示されるように蛍光体層６を帯状の隔壁５の側面にも形成して、放電セルＣ’内の発光面積を増大させることにより、表示画面の輝度の増加を図っている。しかしながら、上述した従来の面放電方式交流型プラズマディスプレイパネルの構造では、各放電セルＣ’のサイズを小さくして画面の精細度を上げようとすると、それに伴って、蛍光体層６の表面積が減少し、輝度が低下してしまうという問題が生じる。
【０００９】
さらに、この画面の高精細化に対応するために、行電極対（Ｘ’，Ｙ’）のピッチを狭めてゆくと、上下方向に隣接する放電セルＣ’に放電の干渉が生じ、誤放電が発生し易くなるという問題が生じる。
【００１０】
この発明は、上記のような従来の面放電方式交流型プラズマディスプレイパネルにおける問題点を解決するために為されたものである。すなわち、この発明は、輝度の低下と放電セルにおける誤放電を防止して、画面の高精細化を図ることが出来るプラズマディスプレイパネルを提供すること一つの目的とする。さらに、この発明は、画面の解像度を向上させることが出来るプラズマディスプレイパネルを提供することを一つの目的とする。
【課題を解決するための手段】
【００１１】
このような目的を達成するために、本発明によるプラズマディスプレイパネルは、以下の各独立請求項に係る構成を少なくとも具備するものである。
【００１２】
［請求項１］前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と前記背面基板との間に配置されて、列方向に延びる縦壁部と行方向に延びる横壁部によって、前記放電空間を前記単位発光領域毎に行方向と列方向に区画する隔壁を備え、
前記放電空間の単位発光領域に面する前記隔壁の横壁部及び縦壁部並びに前記背面基板上の面に蛍光体層が形成され、
前記行電極対を構成する第１行電極及び第２行電極が、行方向に延びる金属層で構成される電極本体部と、前記放電空間内の単位発光領域毎に、前記電極本体部が対となる他の行電極の方向に張り出して所要のギャップを介して互いに対向する透明電極膜で構成される突出電極部とを備えており、
前記第１行電極と第２行電極の内少なくとも一方の行電極の列方向において隣接する二つの表示ライン間において背中合わせになっている突出電極部が、互いに同一の電極本体部を共用しており、
当該同一の電極本体部に接続された一対の前記突出電極部同士が直接連結されていることを特徴とするプラズマディスプレイパネル。
【発明を実施するための最良の形態】
【００１３】
本発明の実施形態に係るプラズマディスプレイパネルは、一つには、前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と前記背面基板との間に配置されて、列方向に延びる縦壁部と行方向に延びる横壁部によって、前記放電空間を前記単位発光領域毎に行方向と列方向に区画する隔壁を備え、前記放電空間の単位発光領域に面する前記隔壁の横壁部及び縦壁部並びに前記背面基板上の面に蛍光体層が形成され、前記行電極対を構成する第１行電極及び第２行電極が、行方向に延びる金属層で構成される電極本体部と、前記放電空間内の単位発光領域毎に、前記電極本体部が対となる他の行電極の方向に張り出して所要のギャップを介して互いに対向する透明電極膜で構成される突出電極部とを備えており、前記第１行電極と第２行電極の内少なくとも一方の行電極の列方向において隣接する二つの表示ライン間において背中合わせになっている突出電極部が、互いに同一の電極本体部を共用しており、当該同一の電極本体部に接続された一対の前記突出電極部同士が直接連結されていることを特徴とする。
【００１４】
これによると、列方向に延びる縦壁部と行方向に延びる横壁部を有する隔壁によって、前面基板と背面基板の間の放電空間が、単位発光領域毎に区画される。前面基板と背面基板の間の放電空間が隔壁によって発光領域毎に行方向および列方向においてそれぞれ区画されているので、この列方向において隣接する単位発光領域間で放電の干渉が生じて誤放電が発生するのを防止することが出来、これによって、画面の高精細化を図ることが可能になる。
【００１５】
また、前記隔壁によって単位発光領域毎に区画された前記放電空間に面する隔壁の縦壁部と横壁部の側面および列電極が設けられた背面基板側の面に蛍光体層が形成されているので、発色を行う蛍光体層が、単位発光領域毎に区画された放電空間に面する隔壁の縦壁部と横壁部の側面および列電極が設けられた背面基板側の面の五面に形成されることになり、蛍光体層の表面積すなわち発光面積が従来のプラズマディスプレイパネルと比較して拡大され、これによって、単位発光領域の一つ当たりの輝度がそれぞれ増大して、従来のものと比較した場合に表示画面の輝度を向上させることが出来る一方、画面の精細度を上げるために各単位発光領域のサイズを小さくしても、表示画面の輝度が従来のものと比べて低下してしまうことがない。
【００１６】
更には、前記行電極対を構成するそれぞれの行電極が、前記単位発光領域毎に、行方向に延びる電極本体部から対となる他の行電極の方向に張り出して所要の放電ギャップを介して互いに対向する突出電極部を備えているので、この突出電極部がそれぞれ単位発光領域毎に島状に独立するように構成されることで、行電極対を構成するそれぞれの行電極が単位発光領域毎に島状に独立するように構成されているために、画面の精細度を上げるために各単位発光領域のサイズを小さくしても、行方向において隣接する単位発光領域ヘの放電の干渉が生じる虞は無い。
【００１７】
そして、行電極対を構成する第１行電極と第２行電極の内少なくとも一方の行電極の列方向において隣接する二つの表示ライン間において背中合わせになっている突出電極部が、互いに同一の電極本体部を共用しており、当該同一の電極本体部に接続された一対の前記突出電極部同士が直接連結されているので、隣接する表示ラインにおいて互いに背中合わせに配置される行電極が同一の電極本体部を共用していることによって、この電極本体部の設置面積を小さくすることができ、これによって、電極本体部に対向する隔壁の横壁部の幅を小さくすることができることになる。その分、単位発光領域のサイズを大きくしてこの単位発光領域内に形成される蛍光体層の表面積を増加させることができるので、表示面積の起動が増加される。また、横壁部の幅を小さくすることで、単位発光領域の配置密度を高めることができ、高解像度の表示が可能になる。
更には、本体電極部の共用によって、放電電流を低減させることも可能になる。
【００１８】
また、本発明の実施形態に係るプラズマディスプレイパネルは、前記突出電極部が、放電ギャップを介して対向する幅広部と前記電極本体部に接続される狭小の基端部を備えているので、幅広部によって、突出電極部の互いに対向する幅を、放電開始電圧を下げるために必要な範囲に設定することが可能になり、狭小の基端部によって、各突出電極を確実に独立させることができる。
【００１９】
以下、図面を参照しながら本発明の実施形態を詳細に説明する。
図１ないし５は、この発明によるプラズマディスプレイパネル（以下、ＰＤＰという）の実施形態の前提構成を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００２０】
この図１ないし５に示されるＰＤＰは、図２２ないし２４の従来のＰＤＰと同様に、背面側基板に蛍光体層を配置した反射型と呼ばれる交流駆動方式の面放電型ＰＤＰである。図１ないし５において、表示面である前面ガラス基板１０の背面に、複数の行電極対（Ｘ，Ｙ）が、前面ガラス基板１０の行方向（図１の左右方向）に延びるように平行に配列されている。
【００２１】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００２２】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００２３】
透明電極Ｘａ，Ｙａは、ＩＴＯを前面ガラス基板１０に蒸着し、フォトリソ法によりパターニングすることにより、形成される。バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００２４】
このバス電極Ｘｂ，Ｙｂは、黒色顔料を混入させた銀ペーストを塗布し乾燥した後、さらにこの黒色銀ペースト膜上に銀ペーストを塗布し乾燥し、次いで、フォトリソ法でパターニングして焼成することにより形成される。
【００２５】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００２６】
この誘電体層１１は、低融点ガラスペーストを所定の厚さでフィルム状にしたものを積層して焼成することにより形成され、嵩上げ誘電体層１１Ａは誘電体層１１上に低融点ガラスペーストを所定の厚さでスクリーン印刷して焼成することにより形成される。そして、この誘電体層１１と嵩上げ誘電体層１１Ａの背面側には、ＭｇＯからなる保護層１２が形成されている。
【００２７】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００２８】
この列電極Ｄは、Ａｌ合金（例えばＡｌ−Ｍｎ合金）を背面ガラス基板１３上に蒸着して、フォトリソ法によりパターニングすることにより、形成される。
【００２９】
背面ガラス基板１３の表示側の面上には、さらに、列電極Ｄを被覆する白色の誘電体層１４が形成され、この誘電体層１４上に、隔壁１５が形成されている。
【００３０】
白色の誘電体層１４は、白色顔料を混入させたガラスペーストを背面ガラス基板１３および列電極Ｄ上に塗布して焼成することによって、形成される。隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００３１】
そして、この井桁状の隔壁１５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。この隔壁１５は、その表示面側に形成されたが黒色層（光吸収層）１５’と背面側の白色層（光反射層）１５”の二層構造に形成されており、放電空間Ｓに面する側壁面がほぼ白色（すなわち、光反射層）になるように構成されている。
【００３２】
この井桁状の隔壁１５は、誘電体層１４上に白色顔料を混入させた低融点ガラスペーストと黒色顔料を混入させた低融点ガラスペーストを順に塗布して焼成した後、井桁状のマスク（黒色層上にフィルム状のレジストを積層し、井桁状のマスクによって露光および現像を行って井桁状の開口部をレジスト層に形成したもの）を介して、サンドブラスト法により、白色および黒色のガラス層を切削することによって形成される。
【００３３】
隔壁１５の縦壁１５ａの表示側の面は保護層１２に当接されておらず（図４参照）、その間に隙間ｒが形成されているが、横壁１５ｂの表示側の面が、保護層１２の嵩上げ誘電体層１１Ａを被覆している部分に当接されていて（図２および５参照）、列方向において隣接する放電空間Ｓとの間がそれぞれ遮蔽されている。
【００３４】
放電空間Ｓに面する隔壁１５の縦壁１５ａおよび横壁１５ｂの側面と誘電体層１４の表面には、これらの五つの面を全て覆うように蛍光体層１６が、それぞれ順に形成されている。この蛍光体層１６の色は、放電空間Ｓ毎にＲ，Ｇ，Ｂの色が行方向に順に並ぶように設定される。そして、放電空間Ｓ内には、希ガスが封入されている。
【００３５】
上記のＰＤＰは、行電極対（Ｘ，Ｙ）がそれぞれマトリクス表示画面の１表示ライン（行）Ｌを構成し、また、井桁状の隔壁１５によって区画された放電空間Ｓが、それぞれ一つの放電セルＣを画定している。このＰＤＰにおける画像表示は、従来のＰＤＰと同様に行われる。すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。
【００３６】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。以上のようにして、点灯セルにおける面放電により紫外線が発生され、放電空間Ｓ内のＲ，Ｇ，Ｂの各蛍光体層１６がそれぞれ励起されて発光することにより、表示画面が形成される。
【００３７】
上記ＰＤＰは、各放電セルＣにおいて、蛍光体層１６が、放電空間Ｓに面する隔壁１５の四面の側壁と列電極Ｄを被覆する誘電体層１４の表示側の面の五面に形成されていることにより、蛍光体層１６の表面積すなわち発光面積が従来のＰＤＰと比較して拡大されている。
【００３８】
これによって、放電セルＣの一個当たりの輝度がそれぞれ増大され、従来のものと比較した場合に表示画面の輝度を向上させることが出来る一方、画面の精細度を上げるために各放電セルＣのサイズを小さくしても、表示画面の輝度が従来のものと比べて低下してしまうことがない。
【００３９】
さらに、上記ＰＤＰは、行電極Ｘ，Ｙの透明電極Ｘａ，Ｙａが、バス電極Ｘｂ，Ｙｂから互いに対となる相手の行電極側に延びて、それぞれ放電セルＣ毎に島状に独立するように構成されているために、画面の精細度を上げるために各放電セルＣのサイズを小さくしても、表示ラインＬ方向（水平方向）において隣接する放電セルＣヘの放電の干渉が生じる虞は無い。
【００４０】
さらにまた、上記ＰＤＰは、誘電体層１１に嵩上げ誘電体層１１Ａが形成され、この嵩上げ誘電体層１１Ａを被覆する保護層１２が隔壁１５の横壁１５ｂの表示側の面に当接されて列方向（垂直方向）において隣接する放電セルＣの放電空間Ｓが互いに遮蔽されている（図２および５参照）ことにより、この列方向において隣接する放電セルＣ間で放電の干渉が生じるのが防止される。
【００４１】
一方、隔壁１５の縦壁１５ａの表示側の面が、誘電体層１１の嵩上げ誘電体層１１Ａが形成されていない部分に対向されていて、この縦壁１５ａの表示側の面と保護層１２との間に隙間ｒが形成されている（図３および４参照）ことにより、行方向（表示ライン方向）において互いに隣接する放電セルＣの放電空間Ｓが隙間ｒを介して僅かに連結されて、放電を連鎖的に生じさせるプライミング効果が発生し、放電動作の安定化を図ることが出来る。
【００４２】
さらに、上記ＰＤＰは、バス電極Ｘｂ，Ｙｂの表示面側にそれぞれ黒色導電層Ｘｂ’，Ｙｂ’が設けられていることにより、前面ガラス基板１０を通して入射してくる外光が反射されるのを防止して、表示画面のコントラストを向上させることが出来る。
【００４３】
さらに、上記ＰＤＰは、背面ガラス基板１３上に形成された誘電体層１４が白色になっていることにより、蛍光体層１６によって発光される光を表示側に反射して、背面側に逃げるのを防止することにより、表示画面の輝度を増加させることが出来る。また、この誘電体層１４によって、サンドプラスト時の保護層の役割が果たされる。さらに、上記ＰＤＰは、隔壁１５の表示側の面に黒色層１５’が形成されていることによって、前面ガラス基板１０を通して入射してくる外光が反射されるのを防止して、表示画面のコントラストを向上させることができる。
【００４４】
そして、放電空間Ｓを区画する隔壁１５の四面の壁面が白色層１５”によって構成されていることにより、蛍光体層１６による発光を表示側に反射して、表示画面の輝度を増加させることが出来る。次に、この発明の実施形態における第２の例を、図６に基づいて説明する。
【００４５】
図６は、ＰＤＰの行電極対と隔壁との関係を模式的に表す平面図である。このＰＤＰは、図１ないし５におけるＰＤＰの行電極ＸとＹが列方向に交互に配置されていたのに対し、列方向に配列された表示ラインＬi，Ｌi+1…において、行電極が、（Ｙi，Ｘi），（Ｘi+1，Ｙi+1）…というように、表示ライン毎に交互にその配置が入れ替えられて配列されている。
【００４６】
そして、上記の配置によって、列方向において隣接する表示ラインＬi，Ｌi+1において、行電極対（Ｙi,Ｘi）と（Ｘi+1，Ｙi+1）の互いに背中合わせに配置される行電極ＸiとＸi+1のそれぞれ透明電極ＸａiとＸａi+1とが、共通のバス電極Ｘｂｊに接続されている。
【００４７】
このように、ここで示したＰＤＰは、隣接する表示ラインにおいて、互いに背中合わせに配置される行電極ＸiとＸi+1が、バス電極Ｘｂｊを共用しており、このバス電極Ｘｂｊの設置面積が図１ないし５のＰＤＰのバス電極の設置面積よりも小さくなる。
【００４８】
従って、バス電極Ｘｂｊに対向する隔壁２５の横壁２５ｂの幅を図１ないし５のＰＤＰと比べて小さくでき、その分、放電空間Ｓ１の容積を大きくして、この放電空間Ｓ１内に形成される蛍光体層の表面積を増加させることができるので、表示画面の輝度が増加される。さらに、バス電極Ｘｂｊの共用によって、放電電流を低減することが出来る。なお、この例において、隣接する表示ラインの互いに背中合わせに配置される行電極ＸiとＸi+1のそれぞれの透明電極の基端部を連結して、一体的に形成するようにしても良い。
【００４９】
図７は、他の構成を有するＰＤＰの行電極対と隔壁との関係を模式的に表す平面図である。このＰＤＰは、図６のＰＤＰと同様に、列方向に配列された表示ラインＬi-1’，Ｌi’，Ｌi+1’…において、行電極が、（Ｙi-1’，Ｘi-1’’），（Ｘi’，Ｙi’），（Ｙi+1’，Ｘi+1’）…というように、表示ライン毎に交互にその配置が入れ替えられて配列されている。
【００５０】
そして、上記の配置によって、列方向において隣接する表示ラインにおいて、）互いに背中合わせに配置される行電極Ｘi-1’とＸi’のそれぞれ透明電極Ｘａi-1’とＸａi’とが、共通のバス電極Ｘｂｊ’に接続されている。さらに、列方向において隣接する表示ラインにおいて、互いに背中合わせに配置される行電極Ｙi’とＹi+1’のそれぞれ透明電極Ｙａi’とＹａi+1’とが、共通のバス電極Ｙｂｊ’に接続されている。
【００５１】
このように、このＰＤＰは、隣接する表示ラインにおいて、互いに背中合わせに配置される行電極Ｘi’とＸi+1’が、バス電極Ｘｂｊ’を共用しており、さらに、互いに背中合わせに配置される行電極Ｙi'’とＹi+1’が、バス電極Ｙｂj’を共用していることにより、このバス電極Ｘｂｊ’とＹｂｊ’の設置面積が、図７のＰＤＰのバス電極の設置面積よりもさらに小さくなる。
【００５２】
従って、バス電極Ｘｂｊ’およびＹｂｊ’に対向する隔壁２５’の横壁２５ｂ’の幅をそれぞれ図１ないし５のＰＤＰと比べてさらに小さくでき、その分、放電空間Ｓ１’の容積を大きくして、この放電空間Ｓ１’内に形成される蛍光体層の表面積をさらに増加させることができるので、表示画面の輝度が増加される。さらに、バス電極Ｘｂｊ’およびＹｂｊ’の共用によって、放電電流を低減することが出来る。
【００５３】
そして、図８は、本発明の実施形態を示す説明図である。ここに示されるように、隣接する表示ラインにおいて、互いに背中合わせに配置される行電極Ｘi-1’とＸi’の透明電極Ｘai-1’とＸai’のそれぞれの基端部を連結して一体的に形成し、さらに、行電極Ｙi’とＹi+1’のそれぞれの透明電極Ｙai’とＹai+1’の基端部を連結して一体的に形成している。
【００５４】
図９は他の例のＰＤＰの行電極対と隔壁との関係を模式的に表す平面図であり、図１０は図９のＶ３−Ｖ３線における断面図、図１１は図９のＶ４−Ｖ４線における断面図、図１２は図９のＷ３−Ｗ３線における断面図、図１３は図９のＷ４−Ｗ４線における断面図である。
【００５５】
この図９ないし１３に示されるＰＤＰは、前面ガラス基板１０の背面に行電極対（Ｘ，Ｙ）が図１ないし５の第１の例のＰＤＰと同様の態様で配列されている。そして、前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、井桁状の隔壁３５の縦壁３５ａに対向する部分に、光吸収層（遮光層）３１が形成されている。
【００５６】
隔壁３５は、第１の例の場合と異なり、白色の一層構造で形成されている。その他の部分の構成については、第１の例の場合と同様であり、図１ないし５と同様の符号が付されている。
【００５７】
上記ＰＤＰは、前面ガラス基板１０の背面の放電空間Ｓに対向する部分以外の部分が、光吸収層（遮光層）３０，３１および二層構造に形成されたバス電極Ｘｂ，Ｙｂの黒色導電層Ｘｂ’，Ｙｂ’によってカバーされていることにより、前面ガラス基板１０を通して入射してくる外光が反射されるのを防止して、表示画面のコントラストを向上させることができる。なお、この例において、光吸収層（遮光層）３０と３１のうち何れか一方のみを形成するようにしてもよい。
【００５８】
また、前面ガラス基板１０の背面に、対向する放電空間Ｓ内の蛍光体層１６の色（Ｒ，Ｇ，Ｂ）に対応する色のカラーフィルタ層（図示せず）を、各放電セルＣ毎に形成することも出来る。この場合、光吸収層（遮光層）３０，３１は、各放電空間Ｓに対向するように島状に形成されたカラーフィルタ層の間隙またはこの間隙に対応する位置に形成される。
【００５９】
次に、この発明に対する参考例を、図１４ないし１６に基づいて説明する。図１４はこの参考例のＰＤＰの行電極対と隔壁との関係を模式的に表す平面図であり、図１５は図１４のＶ５−Ｖ５線における断面図、図１６は図１４のＶ６−Ｖ６線における断面図である。
【００６０】
この図１４ないし１６に示されるＰＤＰは、前面ガラス基板１０の背面に行電極対（Ｘｏ，Ｙｏ）が図１ないし５の第１の例のＰＤＰと同様の態様で配列されている。そして、前面ガラス基板１０の背面には、井桁状の隔壁４５の表示側の面に対向する部分に、全て、黒色の光吸収層（遮光層）４０が形成されている。
【００６１】
行電極Ｘｏ，Ｙｏのそれぞれのバス電極Ｘｏｂ，Ｙｏｂは、主導電層のみの一層構造に形成されており、光吸収層（遮光層）４０の背面に位置するように配置されている。上記ＰＤＰは、前面ガラス基板１０の背面の放電空間Ｓに対向する部分以外の部分が、光吸収層（遮光層）４０によってカバーされていることにより、前面ガラス基板１０を通して入射してくる外光が反射されるのを防止して、表示画面のコントラストを向上させることができる。
【００６２】
次に、この発明の実施形態における参考例を、図１７に基づいて説明する。図１７はこの例のＰＤＰの行電極対と隔壁との関係を模式的に表す平面図である。この図１７に示されるＰＤＰは、井桁状の隔壁５５の縦壁５５ａが、その表示ラインＬ方向の幅ｈ１が上記各例の隔壁と比べて幅広になるように形成され、さらに、縦壁５５ａの両端部分の幅ｈ２が横壁５５ｂに接近するほどさらに拡大されるように形成されている。
【００６３】
そして、行電極Ｘo1とＹo1のそれぞれの透明電極Ｘo1ａとＹo1ａは、ギャップｇ”を介して互いに対向する幅広部Ｘo1ａ’とＹo1ａ’が、表示ラインＬ方向に対して斜行するように形成されている。
【００６４】
上記ＰＤＰは、井桁状の隔壁５５の縦壁５５ａの幅を広げたことによって、前記第１の例のように隔壁に黒色層を形成したり、また、第４および５の例のように前面ガラス基板の隔壁に対向する面に遮光層を形成して、外光の反射を防止する場合に、この黒色層や遮光層を形成する面積が広くすることが出来るので、外光の反射防止をより有効に行うことが出来る。また、行電極対における透明電極間のギャップは、その表示ライン方向における対向長さ（放電ギャップ長）ｘが、通常、放電開始電圧を下げるために２００〜２５０ミクロン必要であり、それ以上またはそれ以下になると放電開始電圧が高くなるため、隔壁５５の縦壁５５ａの幅を広げたままでは、上記の放電ギャップ長を確保することが出来ないが、上記ＰＤＰによれば、透明電極Ｘo1ａとＹo1ａの幅広部Ｘo1ａ’，Ｙo1ａ’が表示ラインＬ方向に対して斜行するように形成され、ギャップｇ”が表示ラインＬ方向に対して斜行する方向に延びるように構成されるので、その放電ギャップ長ｘが上記範囲になるように設定される。
【００６５】
次に、この発明の実施形態における参考例を、図１８に基づいて説明する。図１８は、この例のＰＤＰにおいて、ＲＧＢの三色に色分けされた三個の放電セルＣによって構成される画素の構成を模式的に表す平面図である。
【００６６】
この図１８において、井桁状の隔壁１５Ａによって区画される放電セルＣは、列方向において直線状に配置され、列電極ＤＡは直線状に形成されている。そして、各放電セルＣの蛍光体層の色が、表示ラインＬ方向（行方向）においてＲ，Ｇ，Ｂの順に並ぶように設定されており、さらに、表示ラインＬ方向に対して直角な方向（列方向）において同じ色の放電セルＣが並ぶように配列されている。
【００６７】
この例におけるＰＤＰは、図に示されるように、表示ラインＬ方向に並ぶＲ，Ｇ，Ｂの三個の放電セルＣによって一つの画素ＧＡが構成され、従って、列方向において画素ＧＡが直線上に配列される。
【００６８】
次に、この発明の実施形態における参考例を、図１９に基づいて説明する。図１９は、この例のＰＤＰにおいて、ＲＧＢの三色に色分けされた三個の放電セルＣによって構成される画素の構成を模式的に表す平面図である。
【００６９】
この図１９において、放電セルＣは、上述した第７の例の場合と同様に井桁状の隔壁１５Ｂによって区画されて列方向において直線状に配置され、列電極ＤＢも直線状に形成されているが、各放電セルＣの蛍光体層のＲ，Ｇ，Ｂの色が、列方向において隣接する二つの表示ラインＬにおいて互いに一個ずつ表示ラインＬ方向にずれるように、設定されている。
【００７０】
一つの画素ＧＢは、図に示されるように、表示ラインＬ方向に並ぶＲ，Ｇ，Ｂの三個の放電セルＣによって構成され、従って、画素ＧＢは、列方向において隣接する二つの表示ラインＬにおいて、互いに放電セルＣが一個ずつ表示ラインＬ方向にずれるように配列される。この例におけるＰＤＰは、上記のように画素ＧＢが表示ラインＬ毎に放電セルＣが一個ずつずれるように配置されることによって、表示画面の解像度を向上することが出来る。
【００７１】
次に、この発明の実施形態における参考例を、図２０に基づいて説明する。図２０は、この例のＰＤＰにおいて、ＲＧＢの三色に色分けされた三個の放電セルＣによって構成される画素の構成を模式的に表す平面図である。
【００７２】
この図２０において、列方向において隣接する二つの表示ラインＬに配列される放電セルＣは、井桁状の隔壁１５Ｃによって、互いに放電セルＣの幅方向の寸法の半分ずつ表示ラインＬ方向にずれるように区画されている。そして、各放電セルＣの蛍光体層のＲ，Ｇ，Ｂの色が、列方向において隣接する二つの表示ラインＬの互いに半分ずつ表示ラインＬ方向にずれるように配置された放電セルＣにおいて同じになるように、設定されている。
【００７３】
このため、列電極ＤＣは、列方向において隣接する二つの表示ラインＬにおいて半分ずつ表示ラインＬ方向にずれるように配置された放電セルＣに対応して、ジグザグに屈曲する形状に形成されている。
【００７４】
一つの画素ＧＣは、図に示されるように、表示ラインＬ方向に並ぶＲ，Ｇ，Ｂの三個の放電セルＣによって構成され、従って、画素ＧＣは、列方向において隣接する二つの表示ラインＬにおいて、互いに放電セルＣが半分ずつ表示ラインＬ方向にずれるように配列される。
【００７５】
この例におけるＰＤＰは、上記のように画素ＧＣが表示ラインＬ毎に放電セルＣが半分ずつずれるように配置されることによって、表示画面の解像度を向上することが出来る。
【００７６】
次に、この発明の実施形態における参考例を、図２１に基づいて説明する。図２１は、この例のＰＤＰにおいて、ＲＧＢの三色に色分けされた三個の放電セルＣによって構成される画素の構成を模式的に表す平面図である。
【００７７】
この図２１において、列方向において隣接する二つの表示ラインＬに配列される放電セルＣは、井桁状の隔壁１５Ｄによって、図２０の例の場合と同様に、互いに放電セルＣの幅方向の寸法の半分ずつ表示ラインＬ方向にずれるように区画されている。
【００７８】
そして、各放電セルＣの蛍光体層のＲ，Ｇ，Ｂの色が、列方向において隣接する表示ラインＬにおいて互いに放電セルＣの幅方向の寸法の１．５倍の寸法ずつ表示ラインＬ方向にずれるように、設定されている。
【００７９】
このため、列電極ＤＤは、列方向において隣接する二つの表示ラインＬにおいて幅方向の寸法の半分ずつ表示ラインＬ方向にずれるように配置された放電セルＣに対応して、ジグザグに屈曲する形状に形成されている。
【００８０】
一つの画素ＧＤは、図に示されるように、列方向において隣接する二つの表示ラインＬにまたがってデルタ状に位置するＲ，Ｇ，Ｂの三個の放電セルＣによって構成される。
【００８１】
この例におけるＰＤＰは、上記のように、一つの画素ＧＤがデルタ状に位置する三個の放電セルＣによって構成されることによって、表示画面の解像度を向上することができる。
【図面の簡単な説明】
【００８２】
【図１】この発明の前提となるＰＤＰの行電極対と隔壁との関係を模式的に表す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】この発明の前提となるＰＤＰの行電極対と隔壁との関係を模式的に表す平面図である。
【図７】この発明の前提となるＰＤＰの行電極対と隔壁との関係を模式的に表す平面図である。
【図８】本発明の実施形態を示す説明図である。
【図９】この発明の前提となるＰＤＰの行電極対と隔壁との関係を模式的に表す平面図である。
【図１０】図９のＶ３−Ｖ３線における断面図である。
【図１１】図９のＶ４−Ｖ４線における断面図である。
【図１２】図９のＷ３−Ｗ３線における断面図である。
【図１３】図９のＷ４−Ｗ４線における断面図である。
【図１４】この発明の参考例におけるＰＤＰの行電極対と隔壁との関係を模式的に表す平面図である。
【図１５】図１４のＶ５−Ｖ５線における断面図である。
【図１６】図１４のＶ６−Ｖ６線における断面図である。
【図１７】この発明の参考例におけるＰＤＰの行電極対と隔壁との関係を模式的に表す平面図である。
【図１８】この発明の参考例におけるＰＤＰにおいて画素の構成を模式的に表す平面図である。
【図１９】この発明の参考例におけるＰＤＰにおいて画素の構成を模式的に表す平面図である。
【図２０】この発明の参考例におけるＰＤＰにおいて画素の構成を模式的に表す平面図である。
【図２１】この発明の参考例におけるＰＤＰにおいて画素の構成を模式的に表す平面図である。
【図２２】面放電方式交流型プラズマディスプレイパネルの従来のセル構造を模式的に示す平面図である。
【図２３】図２２のＶ−Ｖ線における断面図である。
【図２４】図２２のＷ−Ｗ線における断面図である。
【符号の説明】
【００８３】
１０…前面ガラス基板（前面基板）
１１…誘電体層
１１Ａ…嵩上げ誘電体層（嵩上げ部）
１２…保護層
１３…背面ガラス基板（背面基板）
１４…誘電体層
１５，２５，２５’３５，４５，５５…隔壁
１５ａ，２５ａ，２５ａ’３５ａ，４５ａ，５５ａ…縦壁（縦壁部）
１５ｂ，２５ｂ，２５ｂ’３５ｂ，４５ｂ，５５ｂ…横壁（横壁部）
１５’…黒色層（光吸収層）
１５”…白色層（光反射層）
１５Ａ，１５Ｂ，１５Ｃ，１５Ｄ…隔壁
１６…蛍光体層
３０…光吸収層（第１の光吸収層）
３１…光吸収層（第２の光吸収層）
４０…光吸収層
Ｘ…行電極（第１行電極）
Ｙ…行電極（第２行電極）
Ｘａ…透明電極（突出電極部）
Ｙａ…透明電極（突出電極部）
Ｘｂ…バス電極（電極本体部）
Ｙｂ…バス電極（電極本体部）
Ｘｂ’，Ｙｂ’…黒色層（光吸収層）
Ｘｂ”，Ｙｂ”…白黒色層（光反射層）
Ｄ，ＤＡ，ＤＢ，ＤＣ，ＤＤ…列電極
Ｓ…放電空間
Ｃ…放電セル（単位発光領域）
ＧＡ，ＧＢ，ＧＣ，ＧＤ…画素
ｇ…ギャップ
ｒ…隙間
【図１】
2006128145.tif 000003
【図２】
2006128145.tif 000004
【図３】
2006128145.tif 000005
【図４】
2006128145.tif 000006
【図５】
2006128145.tif 000007
【図６】
2006128145.tif 000008
【図７】
2006128145.tif 000009
【図８】
2006128145.tif 000010
【図９】
2006128145.tif 000011
【図１０】
2006128145.tif 000012
【図１１】
2006128145.tif 000013
【図１２】
2006128145.tif 000014
【図１３】
2006128145.tif 000015
【図１４】
2006128145.tif 000016
【図１５】
2006128145.tif 000017
【図１６】
2006128145.tif 000018
【図１７】
2006128145.tif 000019
【図１８】
2006128145.tif 000020
【図１９】
2006128145.tif 000021
【図２０】
2006128145.tif 000022
【図２１】
2006128145.tif 000023
【図２２】
2006128145.tif 000024
【図２３】
2006128145.tif 000025
【図２４】
2006128145.tif 000026